(57)【特許請求の範囲】
【請求項１】
架台と架台に取り付けた太陽電池パネルとを含む太陽電池パネル装置を太陽電池パネル面を上側にしてハウス躯体上に設置する工程と、
太陽電池パネル装置の上からハウス躯体を覆うようにビニルフィルムを張設する工程と、
太陽電池パネルの外周外側部分で架台とビニルフィルムとを接続手段により接続させる工程と、
架台とビニルフィルムとの接続後にビニルフィルムの太陽電池パネルに当たる部分を切除する工程と、を有することを特徴とするビニルハウスへの太陽電池パネル装置の設置方法。
【請求項２】
架台とビニルフィルムとの接続は、フィルムの外面側からフィルムの一部を着脱自在に架台に取り付けてなされることを特徴とする請求項１記載のビニルハウスへの太陽電池パネル装置の設置方法。
【請求項３】
太陽電池パネルの外周に沿った外側部分とハウス躯体との間でビニルフィルムを張った状態で架台とビニルフィルムとを線状に接続させることを特徴とする請求項１記載のビニルハウスへの太陽電池パネル装置の設置方法。
【請求項４】
ハウス躯体上に設置された架台と架台に取り付けた太陽電池パネルとを含む太陽電池パネル装置と、
太陽電池パネルに対応する部分を切り欠いたビニルフィルムであって、太陽電池パネル装置の上からハウス躯体を被覆し一部をハウス躯体側に固定されたビニルフィルムと、
ビニルフィルムの切り欠き孔縁部分を架台に着脱可能に固定するビニル孔縁部固定手段と、を備えたことを特徴とするビニルハウスへの太陽電池パネル装置の設置構造。
【請求項５】
架台は、平面視で太陽電池パネルよりも大きな略矩形状に設けられ、
架台の略矩形状の四辺のそれぞれに沿うようにビニル孔縁部固定手段が設けられたことを特徴とする請求項４記載のビニルハウスへの太陽電池パネル装置の設置構造。
【請求項６】
ビニル孔縁部固定手段は、太陽電池パネルの外周に沿った外側部分とハウス躯体との間でビニルフィルムを張った状態で架台に対してビニルフィルムを着脱固定することを特徴とする請求項４又は５記載のビニルハウスへの太陽電池パネル装置の設置構造。
【請求項７】
ビニル孔縁部固定手段は、ビニルフィルムの一部を受けて保持する保持器と、
保持器と協働して保持器に保持されるビニルフィルムの一部を弾発付勢により挟持する弾発部材と、を含むことを特徴とする請求項４ないし６のいずれかに記載のビニルハウスへの太陽電池パネル装置の設置構造。
【請求項８】
ビニルフィルムの太陽電池パネルに対応する切り欠き孔縁部分からビニルハウス内部へ水が侵入するのを防止する止水手段が設けられたことを特徴とする請求項４ないし７のいずれかに記載のビニルハウスへの太陽電池パネル装置の設置構造。
【請求項９】
止水手段は、太陽電池パネルの周囲の架台に設けられたパッキン部材と、
架台のパッキン部材が設けられる部分を被覆するように該架台に対して着脱可能に装着され、該パッキン部材に密着して止水するカバー体と、を有することを特徴とする請求項８記載のビニルハウスへの太陽電池パネル装置の設置構造。
【請求項１０】
パッキン部材は、ビニル孔縁部固定手段によるビニル孔縁の固定位置を挟むように、太陽電池パネルに近接する側と離隔する側に対向して配置されたことを特徴とする請求項９記載のビニルハウスへの太陽電池パネル装置の設置構造。
【請求項１１】
ビニルハウスの躯体は、少なくとも天井側が円弧状に曲折したアーチ状パイプを有し、
架台は、太陽電池パネルを受ける平面部が形成されるとともに、側面視でアーチ状パイプに対応して湾曲形成されたことを特徴とする請求項４ないし１０のいずれかに記載のビニルハウスへの太陽電池パネル装置の設置構造。
【発明の詳細な説明】
【技術分野】
【０００１】
本発明は、ビニルハウスへ太陽電池パネルを取り付けるためのビニルハウスへの太陽電池パネル装置の設置方法及び設置構造に関する。
【背景技術】
【０００２】
近年、石油燃料の枯渇や温室効果ガスの排出による環境問題、電力供給の不安定の問題から自然エネルギーを利用した発電が勧められている。特に、太陽光を利用した太陽光発電は社会的にも関心が高く、例えば、一般住宅やビル、工場等の建物の屋根や屋上、又は空き地等に太陽電池パネル装置が設置され、利用者も年々増加している。さらに、農作物を栽培するビニルハウスに太陽電池パネルを取り付けて、ビニルハウス内の温冷房設備やファン等の空調設備の電力供給を補助する技術も開発されている。ビニルハウスに太陽電池パネルを設置する場合には、例えば、ビニルハウスの屋根の内側又は外側に配置され、ハウスのパイプ等の躯体部分やビニルフィルム、又は索条やその他の支持部材を利用して取り付けられている（例えば、特許文献１参照）。
【先行技術文献】
【特許文献】
【０００３】
【特許文献１】実用新案登録第３１６７１１５号公報
【発明の概要】
【発明が解決しようとする課題】
【０００４】
例えば、特許文献１の太陽エネルギー温室の構造は、ビニルハウスの骨組みとなる複数のブラケットにより支持されるビニルフィルムの屋根の裏面側に隣接するように太陽電池パネルを配置したものであった。しかしながら、特許文献１のようにビニルハウスの内部に太陽エネルギーパネルが設置される構成では、太陽光はビニルフィルムを通って太陽電池パネルに当たるので、発電効率が悪く実用性が低い問題があった。一方、太陽電池パネルをビニルハウスの外部に設置する場合には、ビニルハウスのビニルフィルムはその素材の耐久性による経年劣化に伴い数年毎に定期的に交換する必要があることから、ビニル交換作業の際に太陽電池パネルをいちいち取り外すために電気工事の専門業者が必要になり、作業が極めて煩雑で、時間及びコストもかかる問題があった。また、太陽電池パネルをビニルハウスのパイプ等の躯体に固定する際に、ビニルフィルムを貫通して支持させると、雨水等がビニルハウス内に入りやすく、栽培環境が悪化し植物の病気等を招くことから、確実な防水構造が望まれていた。
【０００５】
本発明は上記従来の課題に鑑みてなされたものであり、その一つの目的は、ビニルハウスに太陽電池パネルを設置した状態でビニルフィルムの交換を簡便に行なえるビニルハウスへの太陽電池パネル装置の設置方法及び設置構造を提供することにある。また、他の目的は、太陽電池パネル装置の設置箇所周辺からビニルハウス内に水が浸入するのを防止できるビニルハウスへの太陽電池パネル装置の設置構造を提供することにある。
【課題を解決するための手段】
【０００６】
上記課題を解決するために本発明は、架台２６と架台２６に取り付けた太陽電池パネル２８とを含む太陽電池パネル装置１２を太陽電池パネル面を上側にしてハウス躯体２０上に設置する工程Ｓ１２と、太陽電池パネル装置１２の上からハウス躯体２０を覆うようにビニルフィルム１４を張設する工程Ｓ１４と、太陽電池パネル２８の外周外側部分で架台２６とビニルフィルム１４とを接続手段（１６）により接続させる工程Ｓ１６と、架台２６とビニルフィルム１４との接続後にビニルフィルム１４の太陽電池パネル２８に当たる部分を切除する工程Ｓ１８と、を有するビニルハウスへの太陽電池パネル装置の設置方法から構成される。
【０００７】
また、架台２６とビニルフィルム１４との接続は、フィルム１４の外面側からフィルムの一部を着脱自在に架台２６に取り付けてなされることとしてもよい。
【０００８】
また、太陽電池パネル２８の外周に沿った外側部分とハウス躯体２０の間で張った状態で架台２６とビニルフィルム１４とを線状に接続させることとしてもよい。
【０００９】
さらに、本発明は、ハウス躯体２０上に設置された架台２６と架台２６に取り付けた太陽電池パネル２８とを含む太陽電池パネル装置１２と、太陽電池パネル２８に対応する部分を切り欠いたビニルフィルム１４であって、太陽電池パネル装置１２の上からハウス躯体を被覆し一部をハウス躯体２０側に固定されたビニルフィルム１４と、ビニルフィルム１４の切り欠き孔縁部分１４Ｅを架台２６に着脱可能に固定するビニル孔縁部固定手段１６と、を備えたビニルハウスへの太陽電池パネル装置の設置構造１０から構成される。
【００１０】
また、架台２６は、平面視で太陽電池パネル２８よりも大きな略矩形状に設けられ、架台２６の略矩形状の四辺のそれぞれに沿うようにビニル孔縁部固定手段１６が設けられたこととしてもよい。
【００１１】
また、ビニル孔縁部固定手段１６は、太陽電池パネルの外周に沿った外側部分とハウス躯体２０との間でビニルフィルム１４を張った状態で架台２６に対してビニルフィルム１４を着脱固定することとしてもよい。
【００１２】
また、ビニル孔縁部固定手段１６は、ビニルフィルム１４の一部を受けて保持する保持器４２と、保持器４２と協働して保持器４２に保持されるビニルフィルム１４の一部を弾発付勢により挟持する弾発部材４４と、を含むこととしてもよい。
【００１３】
また、ビニルフィルム１４の太陽電池パネル２８に対応する切り欠き孔縁部分１４Ｅからビニルハウス内部へ水が侵入するのを防止する止水手段４６が設けられたこととしてもよい。
【００１４】
また、止水手段４６は、太陽電池パネル２８の周囲の架台２６に設けられたパッキン部材４８と、架台２６のパッキン部材４８が設けられる部分を被覆するように該架台２６に対して着脱可能に装着され、該パッキン部材４８に密着して止水するカバー体５０と、を有することとしてもよい。
【００１５】
また、パッキン部材４８は、ビニル孔縁部固定手段１６によるビニル孔縁１４Ｅの固定位置を挟むように、太陽電池パネル２８に近接する側と離隔する側に対向して配置されたこととしてもよい。
【００１６】
また、ビニルハウスの躯体２０は、少なくとも天井側が円弧状に曲折したアーチ状パイプ（２２）を有し、架台２６は、太陽電池パネル２８を受ける平面部３０が形成されるとともに、側面視でアーチ状パイプに対応して湾曲形成されたこととしてもよい。
【発明の効果】
【００１７】
本発明のビニルハウスへの太陽電池パネル装置の設置方法によれば、架台と架台に取り付けた太陽電池パネルとを含む太陽電池パネル装置を太陽電池パネル面を上側にしてハウス躯体上に設置する工程と、太陽電池パネル装置の上からハウス躯体を覆うようにビニルフィルムを張設する工程と、太陽電池パネルの外周外側部分で架台とビニルフィルムとを接続手段により接続させる工程と、架台とビニルフィルムとの接続後にビニルフィルムの太陽電池パネルに当たる部分を切除する工程と、を有することから、太陽光を直接太陽電池パネルに当てて効率よく発電できるとともに、ビニルフィルムの交換が必要な際には太陽電池パネル装置を設置した状態のままでビニルフィルムを交換することができ、低労力で簡単に作業を行うことができる。
【００１８】
また、架台とビニルフィルムとの接続は、フィルムの外面側からフィルムの一部を着脱自在に架台に取り付けてなされる構成とすることにより、フィルムの外面側の着脱操作により簡単にビニルフィルムを架台に接続できるとともに、雨水等がビニルハウスに浸入しにくい。
【００１９】
また、架台とビニルフィルムとの接続は、太陽電池パネルの外周に沿った外側部分がハウス躯体に固定された他端側との間で張った状態で線状に接続される構成とすることにより、ビニルフィルムを適切に張った状態で確実に接続でき、例えば、風やハウス内の空調送風等でばたついたりすることを防止できるとともに、雨水等がビニルハウスに浸入しにくい。
【００２０】
さらに、本発明のビニルハウスへの太陽電池パネル装置の設置構造によれば、ハウス躯体上に設置された架台と架台に取り付けた太陽電池パネルとを含む太陽電池パネル装置と、太陽電池パネルに対応する部分を切り欠いたビニルフィルムであって、太陽電池パネル装置の上からハウス躯体を被覆し一部をハウス躯体側に固定されたビニルフィルムと、ビニルフィルムの切り欠き孔縁部分を架台に着脱可能に固定するビニル孔縁部固定手段と、を備えたことから、太陽光を直接太陽電池パネルに当てて効率よく発電できるとともに、ビニルフィルムの交換が必要な際には太陽電池パネル装置を設置した状態のままでビニルフィルムを交換することができ、低労力で簡単に作業を行うことができ、実用性が高い。
【００２１】
また、架台は、平面視で太陽電池パネルよりも大きな略矩形状に設けられ、架台の略矩形状の四辺のそれぞれに沿うようにビニル孔縁部固定手段が設けられた構成とすることにより、太陽電池パネルの形状にあわせてビニルフィルムを簡単に切除でき施工作業を行ないやすいとともに、ビニルフィルムを適切に張った状態で確実に接続でき、例えば、風やハウス内の空調送風等でばたついたりすることを防止できる。
【００２２】
また、ビニル孔縁部固定手段は、太陽電池パネルの外周に沿った外側部分がハウス躯体に固定された他端側との間で張った状態で線状に架台に対して着脱固定する構成とすることにより、ビニルフィルムを適切に張った状態で確実に接続でき、例えば、風やハウス内の空調送風等でばたついたりすることを防止できる。
【００２３】
また、ビニル孔縁部固定手段は、ビニルフィルムの一部を受けて保持する保持器と、保持器と協働して保持器に保持されるビニルフィルムの一部を弾発付勢により挟持する弾発部材と、を含む構成とすることにより、簡単な作業で確実にビニルフィルムを接続することができるとともに、ビニルフィルム交換の際には簡単に取り外すことができる。
【００２４】
また、ビニルフィルムの太陽電池パネルに対応する切り欠き孔縁部分からビニルハウス内部へ水が侵入するのを防止する止水手段が設けられた構成とすることにより、太陽電池パネル装置の設置部分周辺より雨水等がハウス内部に浸入するのを確実に防止して、植物の病害等を防止できる。
【００２５】
また、止水手段は、太陽電池パネルの周囲の架台に設けられたパッキン部材と、架台のパッキン部材が設けられる部分を被覆するように該架台に対して着脱可能に装着され、該パッキン部材に密着して止水するカバー体と、を有する構成とすることにより、止水手段を簡単な構造で具体的に実現できるともに、意匠感を向上できる。
【００２６】
また、パッキン部材は、ビニル孔縁部固定手段によるビニル孔縁の固定位置を挟むように、太陽電池パネルに近接する側と離隔する側に対向して配置された構成とすることにより、より確実にハウス内部への水の浸入を防止できる。
【００２７】
また、ビニルハウスの躯体は、少なくとも天井側が円弧状に曲折したアーチ状パイプを有し、架台は、太陽電池パネルを受ける平面部が形成されるとともに、側面視でアーチ状パイプに対応して湾曲形成された構成とすることにより、普及している屋根がアーチ状のビニルハウスへ安定した状態で太陽電池パネル装置及び架台を設置できる。
【図面の簡単な説明】
【００２８】
【図１】本発明の一実施形態に係るビニルハウスへの太陽電池パネル装置の設置方法のフローチャートである。
【図２】図１のビニルハウスへの太陽電池パネル装置の設置方法の説明図である。
【図３】図１のビニルハウスへの太陽電池パネル装置の設置方法の説明図である。
【図４】本発明の一実施形態に係るビニルハウスへの太陽電池パネル装置の設置構造の斜視概略図である。
【図５】図４のビニルハウスへの太陽電池パネル装置の設置構造のカバー体を分離した斜視拡大図である。
【図６】図４のビニルハウスへの太陽電池パネル装置の設置構造のカバー体を外した状態の平面説明図である。
【図７】図６のＡ−Ａ線断面の一部拡大説明図である。
【図８】図６のＢ−Ｂ線断面の一部拡大説明図である。
【図９】図７の一部切り欠き斜視図である。
【図１０】図４のビニルハウスへの太陽電池パネル装置の設置構造の太陽電池パネル装置を裏面側から見た概略図である。
【図１１】ビニルハウスのビニルフィルムを交換方法を説明するフローチャートである。
【発明を実施するための形態】
【００２９】
以下添付図面を参照しつつ本発明のビニルハウスへの太陽電池パネル装置の設置方法及び設置構造の実施形態について説明する。本発明に係るビニルハウスへの太陽電池パネル装置の設置方法及び設置構造は、農作物等の温室栽培に利用されるビニルハウスに太陽電池パネル装置を取り付けるための取付手段であり、太陽電池パネルを取り付けた状態でビニルフィルム等の張替え交換を簡便に行なえるものである。図１ないし図３は、本発明のビニルハウスへの太陽電池パネル装置の設置方法の一実施形態を示している。図１、図２、図３に示すように、本実施形態では、太陽電池パネル装置の設置方法は、太陽電池パネル装置１２をハウス躯体上に設置する工程Ｓ１２と、ビニルフィルム１４を張設する工程Ｓ１４と、ビニルフィルム１４と太陽電池パネル装置１２を接続する工程Ｓ１６と、ビニルフィルム１４の太陽電池パネルに当たる部分を切除する工程Ｓ１８と、を有する。図４ないし図１０は、ビニルハウスへの太陽電池パネル装置の設置構造の一実施形態を示している。図４、図５、図６に示すように、ビニルハウスへの太陽電池パネル装置の設置構造１０は、太陽電池パネル装置１２と、太陽電池パネルに対応する部分を切り欠いたビニルフィルム１４と、ビニル孔縁部固定手段１６と、を備える。
【００３０】
図４に示すように、本実施形態では、ビニルハウス１８は、例えば、従来周知の農業用のビニルハウスであり、金属製パイプを組み付けて構成されたハウス躯体２０の外壁に合成樹脂製のビニルフィルム１４を被覆して形成されている。ビニルハウス１８は、例えば、平面視で一方に長い矩形状に形成されており、長手方向に沿って一定間隔で屋根部分がアーチ状となるように湾曲した複数の湾曲パイプ２２を並設するとともに、複数のパイプ２２と交差するように該長手方向に沿って長い直線パイプ２４が配置され、複数の湾曲パイプ２２と直線パイプ２４とを組み付けてハウス躯体２０が構築される。ビニルフィルム１４は、ハウス躯体２０の形状に沿ってハウス躯体２０を覆うように張設され、従来周知の金属製又はプラスチック製のビニルフィルム固定部材（図示せず）で湾曲パイプ２２又は直線パイプ２４に固定される。なお、ハウス躯体２０は、パイプの組み合わせに限らず、木製や鉄骨等を組付けたものや、その他任意のもので構成されていてもよい。
【００３１】
図５、図６に示すように、太陽電池パネル装置１２は、架台２６と、架台２６に取り付けられる太陽電池パネル２８と、を有する。太陽電池パネル２８は、従来周知の太陽電池パネルであり、例えば、単結晶又は多結晶型モジュールの太陽電池を集積し平面視横長矩形状に形成されおり、四辺をアルミニウム等の金属製のフレームで囲んで固定されている。
【００３２】
図５、図６、図７に示すよう、架台２６は、太陽電池パネル２８が取り付けられる基台であり、ハウス躯体２０上に設置される。架台２６は、例えば、プラスチック等の硬質合成樹脂で形成されており、平面視で太陽電池パネル２８の外形輪郭よりも大きな略矩形状に設けられている。架台２６は、中央に太陽電池パネル２８を受ける平面部３０が形成されており、該平面部３０上にパネル表面（受光面）を上側に向けた状態でボルト・ナット等の固定部材３１で固定している。なお、架台２６と太陽電池パネル２８との接続部分にコーキング等を施して防水すると好適である。架台２６は、平面視で太陽電池パネル２８の周囲を囲むような外縁部３２を有している。外縁部３２は、架台の各辺と略平行方向に沿って長い複数の凹溝部３５ａ、３５ｂ、３５ｃが形成されるとともに、後述のビニル孔縁部固定手段１６や止水手段４６が設けられる。さらに架台２６の外縁部３２の隅部と各辺の中間位置には、外縁部３２を覆うカバー体５０と連結するためのボルト穴部３３が設けられている。架台の外縁部３２は、太陽電池パネルの周囲から断面直線状となる平板状の外側に張り出した部分から溝部３５ａを挟んで断面円弧状に湾曲状に曲成される部分が形成され、さらにその外側に断面直線状に張り出した平板部分が連続的に形成されている。外縁部３２の太陽電池パネル側の断面直線部分に１つの凹溝３５ｂが形成され、断面円弧状の湾曲部分に他の凹溝３５ｃが形成されている。架台２６は、長辺方向は直線状に設けられているが、短辺側が上に凸状に湾曲形成されており、短辺側からの側面視でアーチ状パイプに対応して湾曲形成されている。架台２６の裏面側には、架台２６をハウス躯体２０の湾曲パイプ２２のアーチ状の屋根部分に取り付けるため支持装置３４が設けられている。
【００３３】
図７、図９、図１０に示すように、支持装置３４は、太陽電池パネル装置１２をハウス躯体２０上に支持するための支持手段である。支持装置３４は、例えば、ハウス躯体２０のアーチ状の湾曲パイプ上に載置状に当着する受部３６と、該パイプ２２を把持した状態で受部３６に係止する把持具３８と、を含む。受部３６は、例えば、架台２６の裏面側の４箇所に配置され、一方に長く形成され下面側を開口した断面略コ字状のチャネル部材からなり、開口部分の縁部に内側に略ハ字状に対向した係止片３６ａを有している。受部３６は、架台２６と太陽電池パネル２８とを固定しているボルト・ナット等の固定部材３１を利用して架台２６に一体的に固定されている。受部３６は、側面視湾曲した架台２６と湾曲パイプ２２に応じて平面部３０に対して所定の角度で傾斜して固定されている。それぞれの受部３６は、例えば、２本の湾曲パイプ２２に跨るような長手長さとなっており、開口を湾曲パイプ側に臨ませて載置される。把持具３８は、２個１対の金具を組付けて構成されており、上端に受部３６の係止片の溝に係止する爪部が設けられているとともに、上下中間位置から下部にかけて湾曲パイプ２２の径に略対応して湾曲している。把持具３８の下端部はボルト・ナット等の固定部材により、２個１対の金具を着脱可能に固定される。支持装置３４は、湾曲パイプ２２上に架台２６を載せるように受部３６の開口側の下端を載せて当着させた状態で、把持具３８を下方から係止させて固定させることにより、架台２６を湾曲パイプに支持させることができる。
【００３４】
図３、図５、図７に示すように、ビニルフィルム１４は、前述のようにハウス躯体２０を被覆し一部をハウス躯体側に固定されるものであるが、本実施形態では、ハウス躯体２０上に設置した太陽電池パネル装置１２の上からハウス躯体２０を覆うように張設されるとともに、太陽電池パネル２８に対応する部分を切り欠いて切り欠き孔４０が形成されている。すなわち、ビニルフィルム１４は、太陽電池パネルに対応する略矩形状の切り欠き孔４０を有しており、その切り欠き孔の孔縁部分が架台２６の外縁部３２上に配置され、ビニル孔縁部固定手段１６を介して、該ビニル孔縁部分１４Ｅと架台２６の外縁部３２とが接続される。
【００３５】
図５、図７、図９に示すように、ビニル孔縁部固定手段１６は、ビニルフィルムの切り欠き孔縁部分１４Ｅを架台２６に着脱可能に固定するビニルフィルム固定手段である。さらに、ビニル孔縁部固定手段１６は、後述のような施工手順により、切り欠き孔の形成前工程において、太陽電池パネルの外周外側部分で架台２６とビニルフィルム１４とを接続させる接続手段を構成する。本実施形態では、ビニル孔縁部固定手段１６は、例えば、架台２６の外縁部３２にそれぞれに沿うように線状に設けられている。ビニル孔縁部固定手段１６は、ビニル孔縁部分１４Ｅの太陽電池パネル２８の外周に沿った外側部分がハウス躯体２０に固定された他端側との間で張った状態で線状に接続される。具体的には、ビニル孔縁部固定手段１６は、ビニルフィルム１４の一部（１４Ｅ）を受けて保持する保持器４２と、保持器４２に保持されるビニルフィルムの一部（１４Ｅ）を保持器４２と協働して弾発付勢により挟持する弾発部材４４と、を含む。保持器４２は、例えば、金属製で一方に長く形成され、上面側を開口した略Ｕ字状の溝部材からなり、略Ｕ字状の対向部分が上端側の開口に向けて次第に狭く設けられている。保持器４２は、架台２６の外縁部３２に設けられた溝部３５ａ内に収容状に配置され、Ｕ字状の底部分と架台２６の凹溝３５ａの底部とをビス等により固定されている。なお、本実施形態では、架台２６の長辺方向には、３つの保持器４２がボルト孔部３３を挟んで直線状に並設されており、短辺方向には、２つの保持器４２がボルト孔部３３を挟んで直線状に並設されている。弾発部材４４は、例えば、金属製で凹凸を繰り返すように曲折された線条部材からなる。保持器４２の溝内部にビニルフィルムの一部１４Ｅを挿入した状態で、該ビニルフィルムの外面側から弾発部材４４を保持器４２の溝内部に入れると、該弾発部材４４がビニルフィルムを挟み込んだ状態で保持器４２の内部に弾発付勢して該ビニルフィルムを固定する。すなわち、接続手段は、太陽電池パネルの外周外側部分で、切り欠き孔が形成される前のビニルフィルム１４をフィルムを張った状態で架台２６に保持ないしは把持させて太陽電池パネル装置と孔を開けないビニルフィルムとを繋いで接続させる繋留接続手段であり、この繋いでおく状態をフィルムの張り具合を調節可能とするように、着脱部材で着脱可能に接続させることによりフィルム面の中間に太陽電池パネルを配置させて適度の張り状態でフィルムを張設させることができる。本実施形態では、接続手段は、ビニルフィルムの一部を太陽電池パネルの外周外側部分で線状に挟み込んで架台２６と固定させるビニルシート固定装置で形成されている。
【００３６】
図７、図９に示すように、架台２６の外縁部３２には、止水手段４６が設けられている。止水手段４６は、ビニルフィルム１４の太陽電池パネル２８に対応する切り欠き孔縁部分からビニルハウス内部へ水が侵入するのを防止する。これにより、ビニルフィルム１４の屋根部分に切り欠き孔４０を切除する構成であっても、好適に防止構造を維持でき、ビニルハウス内で良好に植物を栽培できる。止水手段４６は、例えば、架台２６のパッキン部材４８が設けられる部分を被覆するように該架台２６に対して着脱可能に装着されるカバー体５０と、カバー体５０と太陽電池パネル２８の周囲の架台２６の外縁部３２との間に介在して止水するパッキン部材４８と、を含む。パッキン部材４８は、例えば、従来周知の防水加工等で用いられるゴム製で一方に長く設けられた筒状又は棒状の弾性部材からなり、架台２６の外縁部３２の各辺の溝部３５ｂ、３５ｃ内に嵌合状に収容されて太陽電池パネルの周囲を囲むように線状に設けられている。本実施形態では、パッキン部材４８は、ビニル孔縁部固定手段１６によるビニル孔縁部分１４Ｅの固定位置を挟むように、太陽電池パネル２８に近接する側と離隔する側に対向して配置されている。パッキン部材４８は、下部側が架台２６の外縁部３２の凹溝３５ｂ、３５ｃ内に収容されるとともに、円弧状部分を外縁部の外面側より突出させている。カバー体５０は、例えば、太陽電池パネル２８に対応する部分に内孔を有し、外形輪郭形状が架台２６の外形輪郭と略一致するような矩形枠状に設けられている。カバー体５０は、架台２６の外縁部３２に設けられたパッキン部材４８とビニル孔縁部固定手段１６部分を同時に覆うようになっており、裏面側がパッキン部材４８の円弧状の上部に密着して止水するようになっている。カバー体５０の裏面側の隅部と各４辺の中間位置には、雌ネジ部５２が一体的に形成されている。カバー体５０は、架台２６の外縁部３２を被覆した状態で、架台２６のボルト孔部を貫通したボルト５４を雌ねじ部５２に螺合することにより、該架台２６に着脱可能に固定される。図８では、外側に配置されるパッキン部材４８はビニルフィルムの一部に覆われておりカバー体５０とパッキン部材４８との間にビニルフィルムを挟んで係着しているが、内側に配置されるパッキン部材４８にはビニルフィルムが覆われておらず直接カバー体５０と当接している。ビニルフィルムの切り欠き孔４０を形成する際にビニルフィルムを内側のパッキン部材４８まで覆うように構成してもよい。なお、止水手段４６は、上記した構成に限らず任意の構成としてもよい。例えば、パッキンの形状や個数等任意に設定してもよい。
【００３７】
次に図１ないし図３を参照して、ビニルハウスへの太陽電池パネル装置の設置構造を施工する工程を設置方法とともに説明する。予め工場等で、架台２６、太陽電池パネル２８、支持装置３６の保持器４２、パッキン部材４８等を組付けて太陽電池パネル装置１２を組み立てておく（図１、Ｓ１０）。図１のフローチャート及び図２（ａ）、（ｂ）に示すように、工程Ｓ１２では、ビニルハウスの設置現場にて、パイプを組付けたハウス躯体２０にビニルフィルム１４を張設する前に、太陽電池パネル装置１２をハウス躯体２０上に設置する。次に、図２（ｃ）に示すように、工程Ｓ１４において、太陽電池パネル装置１２の上からハウス躯体２０を覆うようにビニルフィルム１４を張設する。そして、図３（ｄ）に示すように、工程Ｓ１６において、太陽電池パネル２８の外周外側部分で架台２６とビニルフィルム１４とを接続手段（ビニル孔縁部固定手段１６）により接続させる。上述したように、架台とビニルフィルムとの接続は、フィルムの外面側からフィルムの一部を着脱自在に架台に取り付けてなされる。図３（ｅ）に示すように、工程Ｓ１８において、架台２６とビニルフィルム１４との接続後にビニルフィルム１４の太陽電池パネルに当たる部分を切除して、太陽電池パネルの受光面を外部に露出させる。最後に図３（ｆ）に示すように、工程Ｓ２０にて、カバー体５０を架台２６に固定する。
【００３８】
ビニルハウスのビニルフィルム１４を経年劣化等により交換する際には、図１１に示すように、上記とは逆にカバー体５０を架台２６から取り外し（Ｓ３０）、接続手段（ビニル孔縁部固定手段１６）の弾発部材４４を離脱してビニルフィルムの接続を解除し（Ｓ３２）、ビニルフィルム１４をハウス躯体２０から取り外す（Ｓ３４）。次に、上記工程Ｓ１２〜Ｓ２０同様に、太陽電池パネル装置１２の上からハウス躯体２０を覆うようにビニルフィルム１４を張設し（Ｓ３６）、太陽電池パネル２８の外周外側部分で架台２６とビニルフィルム１４とを接続手段（ビニル孔縁部固定手段１６）により接続させる（Ｓ３６）。そして、架台２６とビニルフィルム１４との接続後にビニルフィルム１４の太陽電池パネルに当たる部分を切除して（Ｓ４０）、最後にカバー体５０を架台２６に固定して（Ｓ４２）、ビニルフィルムの張替え交換を終了する。これにより、太陽光を直接太陽電池パネルの受光面に当てて効率よく発電できるとともに、ビニルハウスのビニルフィルム１４の交換が必要な際には太陽電池パネル装置１２を設置した状態のままでビニルフィルム１４を交換することができ、低労力で簡単に、しかも低コストで作業を行うことができる。
【００３９】
以上説明した本発明のビニルハウスへの太陽電池パネル装置の設置構造は、上記した実施形態のみの構成に限定されるものではなく、特許請求の範囲に記載した本発明の本質を逸脱しない範囲において、任意の改変を行ってもよい。
【産業上の利用可能性】
【００４０】
本発明のビニルハウスへの太陽電池パネル装置の設置構造は、例えば、農作物の栽培等に利用されるビニルハウスで太陽光発電する場合に好適に利用できる。
【符号の説明】
【００４１】
１０    ビニルハウスへの太陽電池パネルの設置構造
１２    太陽電池パネル装置
１４    ビニルフィルム
１６    ビニル孔縁部固定手段
１８    ビニルハウス
２０    ハウス躯体
２６    架台
２８    太陽電池パネル
３０    平面部
４０    切り欠き孔
４２    保持器
４４    弾発部材
４６    止水手段
４８    パッキン部材
５０    カバー体
【図１】
0006054455.tif 000002
【図２】
0006054455.tif 000003
【図３】
0006054455.tif 000004
【図４】
0006054455.tif 000005
【図５】
0006054455.tif 000006
【図６】
0006054455.tif 000007
【図７】
0006054455.tif 000008
【図８】
0006054455.tif 000009
【図９】
0006054455.tif 000010
【図１０】
0006054455.tif 000011
【図１１】
0006054455.tif 000012